(57)【要約】【課題】送水機の圧迫部に装着する被圧迫部を含めチューブ全体を一体的に交換ができるようにした医療用チューブを提供する。【解決手段】中間に送水機２０の圧迫部に装着する被圧迫部３を有するチューブ本体２を設け、該チューブ本体２の一端に洗浄液収容容器の栓部に突き刺す接続針４を、他端に洗浄液の吐出ノズル５をそれぞれ備え、洗浄容器側と吐出ノズル側とを一体化したものであること、また、前記吐出ノズル５が、出血部を覆うラッパ状で、小穴を持つ集液体５ａで覆われ、該集液体を排液回収チューブに連繋し、洗浄と、洗浄後の排液処理（回収）が容易であること、さらに、前記集液体５ａが、銃把状のニギリになり持ち易くし、操作を楽にするように構成した。【選択図】図１
2012110449.tif 000002
【特許請求の範囲】
【請求項１】
中間に送水機の圧迫部に装着する被圧迫部を有するチューブ本体を設け、該チューブ本体の一端に洗浄液収容容器の栓部に突き刺す接続針を、他端に洗浄液吐出ノズルをそれぞれ備えたことを特徴とする医療用洗浄チューブ。
【請求項２】
前記吐出ノズルが、出血部を覆うラッパ状で、小穴を持つ集液体で覆われ、該集液体を排液回収チューブに連繋したことを特徴とする請求項１に記載の医療用洗浄チューブ。
【請求項３】
前記集液体が、銃把状のニギリになっていることを特徴とする請求項２に記載の医療用洗浄チューブ。
【発明の詳細な説明】
【技術分野】
【０００１】
本発明は、外傷による出血部（患部）や手術時の出血部（患部）等の洗浄或いは状況確認のために使用して好適な医療用洗浄チューブに関するものである。
【背景技術】
【０００２】
従来から患部の洗浄装置として知られているものに、実開平４−１２４１２１号公報があった。これは洗浄容器に貯留された洗浄液を、供給チューブを通してポンプで吸引し、加湿器を経て第２の供給チューブから患部に向けてノズルから吐出させて洗浄を行い、この患部洗浄に使った排液は、回収チューブを介して接続した吸引ノズルを介して排液容器に回収するようになっていた。したがって、この装置は、手術時の出血部（患部）等の洗浄或いは患部の状況確認のためには有効な装置であった。
【特許文献１】実開平４−１２４１２１号公報
【発明の開示】
【発明が解決しようとする課題】
【０００３】
しかしながら、上記装置、特に、洗浄チューブは、患者の患部を洗浄するもので、供給チューブは、衛生上も、院内感染防止上も、１回の洗浄毎に、或いは１回の手術毎に交換することが望ましいが、上記装置では、供給チューブは、加温器を介して洗浄容器側と、吐出ノズル側との２つに分かれていたため、加温器ごとの交換は簡易ではなかったし、供給チューブを製造し、医療機関に納入している業者も、洗浄容器側及び吐出ノズル側を別個に作成しなければならず困難な製造を強いられていた。
【０００４】
本発明は、上記の問題点を解消するためのもので、その目的とするところは、送水機の圧迫部に装着する被圧迫部を含めチューブ全体を一体的に交換ができるようにした医療用チューブを提供することにある。
【課題を解決するための手段】
【０００５】
上記目的を達成するため、本発明に係る医療用チューブは、中間に送水機の圧迫部に装着する被圧迫部を有するチューブ本体を設け、該チューブ本体の一端に洗浄液収容容器の栓部に突き刺す接続針を、他端に洗浄液の吐出ノズルをそれぞれ備えたことを特徴とし、洗浄容器側と吐出ノズル側とを一体化するように構成した。
【０００６】
また、請求項２に記載の発明に係る医療用チューブは、前記吐出ノズルが、出血部を覆うラッパ状で、小穴を持つ集液体で覆われ、該集液体を排液回収チューブに連繋したことを特徴とし、出血部を集液体で覆うことにより洗浄を確実にすると同時に、洗浄後の排液処理（回収）が容易であり、傷口状況の確認も即時にできるように構成した。
【０００７】
さらに、請求項３に記載の発明に係る医療用チューブは、前記集液体が、銃把状のニギリになっていることを特徴とし、吐出ノズルを持ち易くするとともに、操作を楽にするように構成した。
【発明の効果】
【０００８】
本発明によれば、洗浄容器側と吐出ノズル側を一体化しているので、患部の洗浄装置に使用するときは一体的に交換でき、面倒さがない。したがって、１回の使用ごとの交換が容易なことから、衛生管理上も、また、院内感染防止上にも極めて有効であるなど各種の優れた効果を奏するものである。
【０００９】
また、請求項２に記載の発明によれば、出血部を集液体で覆うことにより洗浄を確実にすると同時に、洗浄後の排液処理が容易であり、傷口状況の確認も即時にできるから、洗浄の継続及び完了が容易であり、その後の処置にも有効であるという優れた効果を奏するものである。
【００１０】
さらに、請求項３に記載の発明によれば、吐出ノズルの操作が楽になることから、洗浄を確実に行えるという優れた効果を奏するものである。
【発明を実施するための最良の形態】
【００１１】
次に、本発明の実施の態様を添付図面に基づいて説明する。図１はチューブ本体の構造を示す斜視図、図２は吐出ノズルとラッパ状の集液体を示す拡大断面図、図３は図２のＡ−Ａ′線断面図で、（ａ）は噴水口が１個、（ｂ）は噴水口が無数、図４は使用時を説明した略示的斜視図、図５はポンプ部のハウジングを開いた場合の拡大斜視図である。
【００１２】
本願チューブ１は、図１の如く、チューブ本体２の中間に、送水機２０の圧迫部（チューブポンプ）２１に装着するための被圧迫部３を有している。該チューブ本体２の一端には、洗浄液収容容器３０の栓部３１に突き刺す接続針４を備え、他端には、人体４０の出血部４１を洗う洗浄液の吐出ノズル５を備えている。前記チューブ本体２の中間に備えた被圧迫部３は可撓性（復元性）を有するプラスチックチューブからなり、他の部分は折れ曲がりし難い程度に強度を有するプラスチックチューブになっている。前記洗浄液は生理食塩水か純水が用いられる。
【００１３】
前記接続針４は、図上では、チューブ本体２の他端寄りに設けた分岐点２′から延びた２つの分岐チューブ２ａ、２ｂの端部にそれぞれ備えられているとともに、その分岐チューブ２ａ、２ｂの途中には適時締め付け（流動規制）できる締付手段２ａ′、２ｂ′が嵌められている。２つの分岐チューブは、例えば、容量の小さい２つの洗浄液収容容器３０を使用し、これらに同時に接続することもあるためである。
【００１４】
前記吐出ノズル５は、図２の如く、人体４０に接触させて出血部４１を覆うラッパ状にして、小穴５ａ″を持つ集液体５ａの基部５ａ′内に設けられ、該基部５ａ′内は、図３（ａ）、（ｂ）の如く、前記吐出ノズル５の周囲に設けた通路５ｂを介して回収チューブ５ｃに連繋している。該回収チューブ５ｃは延長チューブ５ｄを介して吸引機５０の流入部５１に連繋し、該吸引機の出力部５２は回収容器５３に連繋している（図４参照）。すなわち、ラッパ状の集液体５ａは、柔軟でよく出血部４１を覆うことができ、洗浄を確実にすると同時に出血部に当たって血・液の混合液（排液）の飛散を防止している。洗浄後の排液を、前述の如く、吸引機５０により即時に引くようにしたのは、傷口状況の確認をより早く、より効果的に行うためである。前記集液体５ａの小穴５ａ″は、ラッパ内が真空にならないようにするためである。また、小穴５ａ″を複数設けておき（図示けず）、ラッパ状カバー（図示せず）を移動させて当該小穴の個数の増減が図れるようにすることもある。
【００１５】
前記吐出ノズル５のフェイス面５′に設けた噴出口５″は、図３（ａ）の如く、１個にして、出血部４１に集中して噴射洗浄できるようにすることも、また、同図（ｂ）の如く、フェイス面５′に無数の噴出口５″を設けて出血部４１とその周囲を含む広い範囲の洗浄に効果的に使用できる。このフェイス面５′はオペレーターが適時切り換えできるようにしてもよい。なお、図示していないが、フェイス面５′に設けた噴出口５″には、出血部４１に板状に噴出できるもの、リング状に噴出できるもの、さらには、フェイス面５′を工夫して螺旋状に噴出できるようにすることも可能である。
【００１６】
前記ラッパ状の集液体から回収チューブを、実施例では、拳銃の銃把状のニギリ６で覆い、吐出ノズル５の把持及び操作をし易くしている。該ニギリ６は、てのひらから親指と、中指、薬指、小指とで挟むように把持できる胴部６ａと、人指し指を当てる段部６ｂを設けてなる。このニギリ６は、手指にフィットするならば、その形状は問わないし、材質も自由に決定してよい。実施例ではプラスチック材料で作っている。
【００１７】
前記送水機２０の圧迫部（チューブポンプ）２１は、図５の如く、前面フレーム２２から突出させたリング凸部２３にカバー２４を着脱自在に設ける。該カバー２４内には、被圧迫部３を装着（セット）するハウジング２５と、該ハウジング２５内に回転可能に取り付けたホイール２６と、該ホイール２６の前後板間に軸支したローラ２７が備えられている。しかして、前記ハウジング２５とホイール２６との間に、前記被圧迫部３を挿入すると、該被圧迫部３はハウジング２５の内壁とホイール２６のローラ２７とにより圧迫され（しごかれ）、その圧迫作用により洗浄液収容容器３０から洗浄液が吸引し、吐出ノズル５より一定の勢いをもって洗浄液を吐出させ得るようになっている。
【００１８】
前記ハウジンク２５は、前記カバー２４とともに、送水機２０の前面フレーム２２から取り外せるから、前記被圧迫部３の装着（セット）が楽に行える。このハウジング２５と、前面フレーム２２のリング凸部２３との結合は、互いに当接し、当接面を一定角度ずらすことによりに一体化できるようになっている。このとき、前記ホイール２６の非円形の中心孔（図示せず）が、リング凸部２３の中央に突出している出力軸２８に嵌合して一体化することとなる。
【００１９】
また、前記ハウジング２５を外して前記被圧迫部３を装着（セット）するに際し、前記被圧迫部３の出口となる半筒部２５ａ、２５ｂの一方を、例えば、赤色に着色することにより区別しておき、かつ、その着色側がチューブ本体２の一端側（接続針側）と決めておけば、装着時にチューブ本体２の方向を間違えることがない。
【００２０】
前記ホイール２６を回転させる出力軸２８は、前記前面フレーム２２に設けたコンセント２２′にプラグを介して接続したコード２９′を介して取り付けたフットペタル２９の踏み込み操作により回転及び停止するようになっている。したがって、医療従事者（オペレータ）は、足（フット）を使って操作するだけで送水作業ができるため、両手はフリーになっている。
【００２１】
次に、本願チューブ１の作用を説明する。外科手術、たとえば、ひざ間接や股関節のインプラント手術において、出血部を洗浄して患部の確認や処置を容易にする。すなわち、インプラントを削ることもあり、出血部には削り滓などが付着し、外見からでは手術の状態がわからない。そこで、出血部の状態を把握するため、本願チューブ１を用意した。
【００２２】
まず、チューブ本体２の中間に設けた被圧迫部３を、送水機２０の圧迫部（チューブポンプポ）２１に装着する。この装着は、送水機２０の前面フレーム２２からハウジンク２５をカバー２４とともに外すことにより楽に行え、装着後はハウジング２５をカバー２４とともにもどし、ホイール２６の非円形の中心孔をリング凸部２３の中央に突出している出力軸２８に嵌合一体化する。ついで、チューブ本体２の一端に設けた接続針（２個のうち１個は閉じたまま）４を、生理食塩水を装填している洗浄液収容容器３０の栓部３１に突き刺す。しかる後、他端の吐出ノズル５を片方の手で持って出血部４１に向け、フットペタル２９を踏むと、ハウジング２５とホイール２６との間に、挿入されている被圧迫部３はハウジング２５の内壁とホイール２６のローラ２７とにより圧迫され、その圧迫作用により洗浄液収容容器３０からの洗浄液を吸引し、吐出ノズル５より一定の勢いをもって洗浄液を吐出させ、送水する。これにより、出血部４１が洗浄され、出血部の状況の確認が効果的に行われる。
【００２３】
次いで、インプラント手術において、加工された骨の加工断面よりの出血部を洗浄して人口間接の接着を容易にするために使用する。この場合にも、本願チューブ１を用意して行うこととなる。この手術の場合においても、本願チューブ１は、上述の如く、用意され、出血部を洗浄して骨の加工断面の状態を確認することとなる。
【産業上の利用可能性】
【００２４】
本願チューブ１は、外傷による出血部（患部）や手術時の出血部（患部）等の洗浄或いは傷口状況確認のために使用して好適である。特に、送水、出血部の確認のために有効である。しかも、本願チューブ１は医療用具として病院等の医療機関は勿論、介護施設や養護施設などにおけるチョットした外傷による出血部の洗浄及び傷口状況確認のためにも広く利用できるなど産業上の利用可能性は極めて高いといえる。
【図面の簡単な説明】
【００２５】
【図１】チューブ本体の構造を示す斜視図である。
【図２】吐出ノズルとラッパ状の集液体を示す拡大断面図である。
【図３】図２のＡ−Ａ′線断面図で、（ａ）は噴水口が１個、（ｂ）は噴水口が無数である。
【図４】使用時を説明した略示的斜視図である。
【図５】ポンプ部のハウジングを開いた場合の拡大斜視図である。
【符号の説明】
【００２６】
１  本願チューブ
２  チューブ本体
２′  分岐点
２ａ、２ｂ  分岐チューブ
２ａ′、２ｂ′  締付手段
３  被圧迫部
４  接続針
５  吐出ノズル
５ａ  ラッパ状の集液体
５ａ′  基部
５ａ″  小穴
５ｂ  通路
５ｃ  回収チューブ
５ｄ  延長チューブ
５′  フェイス面
５″  噴出口
６  銃把状のニギリ
６ａ  胴部
６ｂ  段部
２０  送水機
２１  圧迫部（チューブポンプ）
２２  前面フレーム
２２′  コンセント
２３  リング凸部
２４  カバー
２５  ハウジング
２５ａ、２５ｂ  通過部
２６  ホイール
２７  ローラ
２８  出力軸
２９  フットペタル
２９′  コード
３０  洗浄液収容容器
３１  栓部
４１  出血部
５０  吸引機
５１  流入部
５２  出力部
５３  回収容器
【図１】
2012110449.tif 000003
【図２】
2012110449.tif 000004
【図３】
2012110449.tif 000005
【図４】
2012110449.tif 000006
【図５】
2012110449.tif 000007